(57)【要約】【課題】液晶装置等の電気光学装置における開口率を高める。【解決手段】中継層９３は、非開口領域から開口領域に突出した凸部９３ａを有しており、凸部９３ａが開口領域に突出している分、凸部９３ａを設けない場合に比べて開口領域の面積が狭められることになる。しかしながら、凸部９３ａを領域端１９０の一部（例えば領域端１９０の中央）から開口領域に突出させることによって、Ｘ方向に沿って領域端１９０のうち領域端１９０の中央を除く他の部分によって開口領域との境界が構成される非開口領域の幅を狭めることができ、開口率を高めることが可能である。【選択図】図４
2008276266.tif 000002
【特許請求の範囲】
【請求項１】
基板と、
前記基板上で互いに交差する複数のデータ線及び複数の走査線と、
前記複数のデータ線及び前記複数の走査線の交差に対応して規定された複数の画素の夫々に形成された画素電極と、
前記複数の画素の夫々の開口領域を互いに隔てる非開口領域に形成されており、前記開口領域を規定する複数の領域端の一の領域端の一部から前記開口領域の側に突出した凸部を有する導電膜と、
前記画素電極及び前記凸部を互いに電気的に接続する第１コンタクト部と
を備えたことを特徴とする電気光学装置用基板。
【請求項２】
前記非開口領域に形成された第１電極、前記非開口領域において前記第１電極上に形成された第２電極、並びに、前記第１電極及び前記第２電極に挟持された誘電体膜を有しており、前記画素電極に供給される画像信号に応じて前記画素電極の電位を一時的に保持する保持容量と、
前記非開口領域において、前記導電膜及び前記第２電極を電気的に接続する第２コンタクト部と
を備えたことを特徴とする請求項１に記載の電気光学装置用基板。
【請求項３】
前記非開口領域に形成された第１電極、前記非開口領域において前記第１電極上に形成された第２電極、並びに、前記第１電極及び前記第２電極に挟持された誘電体膜を有しており、前記画素電極に供給される画像信号に応じて前記画素電極の電位を一時的に保持する保持容量と、
前記非開口領域において、前記画素電極及び前記第２電極を電気的に接続する第２コンタクト部と
を備えたことを特徴とする請求項１に記載の電気光学装置用基板。
【請求項４】
前記第１電極及び前記第２電極の夫々は、金属膜であること
を特徴とする請求項１から３の何れか一項に記載の電気光学装置用基板。
【請求項５】
基板と、
前記基板上で互いに交差する複数のデータ線及び複数の走査線と、
前記複数のデータ線及び前記複数の走査線の交差に対応して規定された複数の画素の夫々に形成された画素電極と、
前記複数の画素の夫々の開口領域を互いに隔てる非開口領域に形成されており、前記開口領域を規定する複数の領域端の一の領域端の一部から前記開口領域に突出した凸部を有する導電膜と、
前記一部を含んで前記非開口領域から前記開口領域に渡って延びる第１電極、及び前記第１電極上に形成された第２電極、並びに前記第１電極及び前記第２電極に挟持された誘電体膜を有しており、前記画素電極に供給される画像信号に応じて前記画素電極の電位を一時的に保持する保持容量と、
前記非開口領域において前記導電膜及び前記画素電極を電気的に接続する第１コンタクト部と、
前記凸部及び前記第１電極を電気的に接続する第２コンタクト部と
を備えたことを特徴とする電気光学装置。
【請求項６】
前記第１電極は、前記非開口領域から前記開口領域に延び、且つ前記第２電極に重ならない第１部分を有する半導体層であり、
前記第２コンタクト部は、前記第１部分に電気的に接続されていること
を特徴とする請求項５に記載の電気光学装置用基板。
【請求項７】
前記一の領域端は、前記走査線が延びる方向に沿って延びており、
前記凸部は、前記一の領域端の中央から前記開口領域に突出していること
を特徴とする請求項１から６の何れか一項に記載の電気光学装置用基板。
【請求項８】
前記一の領域端は、前記走査線が延びる方向に沿って延びており、
前記凸部は、中央を基準として前記中央より前記一の領域端の端に近い側から前記開口領域に突出していること
を特徴とする請求項１から６の何れか一項に記載の電気光学装置用基板。
【請求項９】
前記凸部は、前記開口領域の隅から前記開口領域に突出していること
を特徴とする請求項１から６の何れか一項に記載の電気光学装置用基板。
【請求項１０】
前記データ線にソースが電気的に接続され、且つ前記走査線にゲートが電気的に接続されたトランジスタを備え、
前記保持容量は、前記トランジスタの直上に配置されていること
を特徴とする請求項１から９の何れか一項に記載の電気光学装置用基板。
【請求項１１】
前記導電膜は、前記データ線と同層に形成されていること
を特徴とする請求項１から１０の何れか一項に記載の電気光学装置用基板。
【請求項１２】
請求項１から１１の何れか一項に記載の電気光学装置用基板を備えたこと
を特徴とする電気光学装置。
【請求項１３】
請求項１２に記載の電気光学装置を具備してなること
を特徴とする電子機器。
【発明の詳細な説明】
【技術分野】
【０００１】
本発明は、例えば液晶装置等の電気光学装置に用いられる電気光学装置用基板、及び該電気光学装置用基板を備えてなる電気光学装置、並びに該電気光学装置を備えた、例えば液晶プロジェクタ等の電子機器の技術分野に関する。
【背景技術】
【０００２】
この種の電気光学装置の一例である液晶装置では、画素部において保持された画像信号がリークすることを防ぐために、液晶容量と並列に保持容量が付加される。このような保持容量は、液晶装置の表示領域を構成する複数の画素における開口領域の周囲に設けられた非開口領域に形成されている。開口領域は、非開口領域によって囲まれた領域であり、矩形状に形成されていることが多い。加えて、非開口領域に形成された保持容量と、当該保持容量上における開口領域に形成された透明な画素電極とを電気的に接続するためには、画素電極及び保持容量が非開口領域で相互に重なるように画素電極を保持容量上まで延在し、非開口領域において画素電極及び保持容量を電気的に接続するコンタクトホール等の接続手段が設けてられている場合が多い（例えば、特許文献１参照）。
【０００３】
【特許文献１】特開２００５−３０１３０６号公報
【発明の開示】
【発明が解決しようとする課題】
【０００４】
しかしながら、開口率を高めることによる液晶装置の高画質化が要望されるに伴い、非開口領域における配線の配線幅の狭小化及び各種素子のサイズの小型化を行った場合、非開口領域においてコンタクトホール等の接続手段を設けるためのスペースを確保することが困難となる製造プロセス上及び設計上の問題点がある。より具体的には、例えば、非開口領域の幅が、相互に隣接する画素間に設けられた配線及び保持容量等の幅によって規定される場合、単に配線等の幅を狭めることによって開口率を高めることが可能となったとしても、形成されるべきコンタクトホールのサイズと、当該コンタクトホールを形成する際に絶縁膜を部分的に除去するために用いられるマスクの位置合わせを考慮したマージンとを確保することは困難である。
【０００５】
よって、本発明は上記問題点等に鑑みてなされたものであり、例えば、アクティブマトリクス方式で駆動される液晶装置等の電気光学装置であって、保持容量及び画素電極の電気的な接続を確保しつつ、開口率を高めることが可能な電気光学装置に用いられる電気光学装置用基板、及びそのような電気光学装置用基板を備えた電気光学装置、並びに電子機器を提供することを課題とする。
【課題を解決するための手段】
【０００６】
本発明の第１の発明に係る電気光学装置用基板は上記課題を解決するために、基板と、前記基板上で互いに交差する複数のデータ線及び複数の走査線と、前記複数のデータ線及び前記複数の走査線の交差に対応して規定された複数の画素の夫々に形成された画素電極と、前記複数の画素の夫々の開口領域を互いに隔てる非開口領域に形成されており、前記開口領域を規定する複数の領域端の一の領域端の一部から前記開口領域の側に突出した凸部を有する導電膜と、前記画素電極及び前記凸部を互いに電気的に接続する第１コンタクト部とを備える。
【０００７】
本発明の第１の発明に係る電気光学装置用基板は、例えば、電気光学物質の一例である液晶を挟持するために対向基板に対向配置されるＴＦＴアレイ基板、或いはＴＦＴアレイ基板及び当該ＴＦＴアレイ基板上に形成された構成要素からなる板状構造体である。電気光学装置の動作時には、走査線を介して走査信号が各画素部に供給され、画像信号がデータ線を介して各画素の画素電極に供給される。より具体的には、例えば画素部毎に設けられた画素スイッチング用の薄膜トランジスタ（以下、適宜「ＴＦＴ」という。）等の半導体素子のゲートは、走査線に電気的に接続されており、走査信号に応じてオンオフされる。画像信号は、ＩＴＯ等の透明電極で構成された画素電極へデータ線を介して選択的に供給される。対向基板に設けられた対向電極及び画素電極間に挟持された液晶等の電気光学物質は、画素毎にこれら電極間に生じた電界によってチルト角が制御される。チルト角の変化に応じて各画素を透過する光量が制御され、アクティブマトリクス駆動された液晶装置等の電気光学装置によって画像が表示される。
【０００８】
導電膜は、複数の画素の夫々の開口領域を互いに隔てる非開口領域に形成されており、開口領域を規定する領域端の一の領域端の一部から開口領域に突出した凸部を有している。ここで、本発明の「開口領域」とは、実質的に光が透過する画素内の領域であり、例えば、画素電極が形成される領域であって、透過率の変更に応じて液晶等の電気光学物質を抜けてきた出射光の階調を変化させることが可能となる領域である。換言すれば、「開口領域」とは、画素に集光される光が光を透過させない、或いは光透過率が透明電極に比べて相対的に小さい配線、遮光膜、及び各種素子等の遮光体で遮られることがない領域を意味する。
【０００９】
本発明の「非開口領域」とは、表示に寄与する光が透過しない領域を意味し、例えば画素内に非透明な配線或いは電極、若しくは各種素子等の遮光体が配設されている領域を意味する。開口領域及び非開口領域を加えた画素のサイズにおける開口領域の割合を意味する開口率が大きいほど、本発明に係る電気光学装置用基板を備えた電気光学装置の表示性能が向上する。
【００１０】
開口領域を規定する複数の領域端の一の領域端は、例えば非開口領域に形成された配線或いは電極等の縁で規定されている。ここで、「複数の領域端」とは、例えば開口領域が矩形状である場合には、当該矩形状を規定する４つの辺を意味し、複数の領域端は開口領域の外形を規定する。各領域端は、特定方向に一直線状に延びる場合に限定されず、大なり小なり当該領域端が延びる方向に交わる方向に沿って凹凸形状を有していてもよい。
【００１１】
本発明の第１の発明に係る電気光学装置用基板では、凸部が開口領域に突出している分、凸部を設けない場合に比べて開口領域の面積が狭められることになる。しかしながら、本発明の第１の発明に係る電気光学装置用基板では、凸部を一の領域端の一部から開口領域に突出させることによって、当該一の領域端が延びる方向に沿って一の領域端の他の部分によって開口領域との境界が構成される非開口領域の幅を狭めることができる。より具体的には、後述するように第１コンタクト部は凸部に電気的に接続されているため、一の領域端において当該一の領域端の一部の両側に延びる非開口領域には第１コンタクト部を形成するためのスペースを確保する必要がなく、その分、例えば遮光性を有する配線等の遮光体を一の領域端の一部の両側で狭めることによって凸部の両側の夫々において非開口領域の幅を狭くでき、開口領域全体の面積を大きくとることが可能である。
【００１２】
したがって、本発明の第１の発明に係る電気光学装置用基板によれば、凸部が開口領域に突出しているため、開口領域の実質的な平面形状は正確には矩形状にならないが、凸部を設けない場合に比べて相対的に開口率を高めることが可能であり、当該電気光学装置用基板を備えた電気光学装置の画質を高めることが可能である。加えて、非開口領域を狭めた場合でも、第１コンタクト部を形成するためのエッチング処理を行うために必要となるスペースのマージンも確保できる。
【００１３】
第１コンタクト部は、画素電極及び凸部を互いに電気的に接続するコンタクトホール等の接続手段である。導電膜が、例えば保持容量等の素子の一部を構成する電極に電気的に接続されている場合には、当該保持容量は画素電極に供給された画像信号に応じて画素電極の電位を一時的に維持できる。この場合、導電膜は、例えば保持容量及び画素電極を電気的に中継する中継層として機能する。
【００１４】
ここで、導電膜を介すことなく保持容量の電極及び画素電極を相互に電気的に接続した場合、当該保持容量の電極は、画素電極との接続を図るためのコンタクト部を形成するために幅が大きくなり、これに伴い非開口領域の幅も大きくなる。しかしながら、本発明によれば、非開口領域から開口領域に凸部を突出させておくことによって、例えば保持容量の電極全体を開口領域に拡げる必要がない。
【００１５】
以上説明したように、本発明の第１の発明に係る電気光学装置用基板によれば、画素電極及び導電膜の電気的な接続を確保しながら、開口率を向上させることができるため、本発明に係る電気光学装置用基板を備えた液晶装置等の電気光学装置の画質を高めることが可能である。
【００１６】
本発明の第１の発明に係る電気光学装置用基板の一の態様では、前記非開口領域に形成された第１電極、前記非開口領域において前記第１電極上に形成された第２電極、並びに、前記第１電極及び前記第２電極に挟持された誘電体膜を有しており、前記画素電極に供給される画像信号に応じて前記画素電極の電位を一時的に保持する保持容量と、前記非開口領域において、前記導電膜及び前記第２電極を電気的に接続する第２コンタクト部とを備えていてもよい。
【００１７】
この態様によれば、導電膜は、第１コンタクト部及び第２コンタクト部の夫々に電気的に接続されているため、保持容量及び画素電極の電気的な接続を中継する中継層として機能する。
【００１８】
この態様によれば、開口領域に突出させた第２電極及び第２コンタクト部を直接接続する場合に比べて、開口領域が狭められる割合を小さくできる。より具体的には、第１電極及び第２電極が相互に重なる面積がより大きくなるように第１電極及び第２電極をパターニングすることによって保持容量の容量を大きくし、画素電極の電位を保持する保持性能を向上させるほうが好ましい反面、一の領域端の全体に渡って第２電極を開口領域に張り出させることは、開口率を高める観点からみて好ましい設計とは言い難い。そこで、導電膜を介して画素電極及び保持容量を電気的に接続することによって、第２電極が開口領域に突出する部分を低減でき、開口率の低下を抑制することが可能となる。
【００１９】
本発明の第１の発明に係る電気光学装置用基板の他の態様では、前記非開口領域に形成された第１電極、前記非開口領域において前記第１電極上に形成された第２電極、並びに、前記第１電極及び前記第２電極に挟持された誘電体膜を有しており、前記画素電極に供給される画像信号に応じて前記画素電極の電位を一時的に保持する保持容量と、前記非開口領域において、前記画素電極及び前記第２電極を電気的に接続する第２コンタクト部とを備えていてもよい。
【００２０】
この態様によれば、中継層として導電膜を介することなく保持容量及び画素電極を電気的に接続できる。
【００２１】
本発明の第１の発明に係る電気光学装置用基板の他の態様では、前記第１電極及び前記第２電極の夫々は、金属膜であってもよい。
【００２２】
この態様によれば、保持容量は、所謂ＭＩＭ（Metal-Insulator-Metal）構造を有する保持容量である。第２電極は、例えばデータ線に電気的に接続された画素電位側容量電極であり、第１電極は、固定電位とされる固定電位側容量電極である。ここで、固定電位側容量電極は通常複数の画素に渡って延在されるため、当該第１電極の面積は第２電極に比べて相対的に大きくなる。そこで、第１電極及び第２電極を金属膜としておくことにより、半導体を用いてこれら電極を構成する場合に比べて電気光学装置用基板全体で消費される消費電力を低減でき、且つ各画素部における素子の高速動作が可能になる。
【００２３】
本発明の第２の発明に係る電気光学装置用基板は上記課題を解決するために、基板と、前記基板上で互いに交差する複数のデータ線及び複数の走査線と、前記複数のデータ線及び前記複数の走査線の交差に対応して規定された複数の画素の夫々に形成された画素電極と、前記複数の画素の夫々の開口領域を互いに隔てる非開口領域に形成されており、前記開口領域を規定する複数の領域端の一の領域端の一部から前記開口領域に突出した凸部を有する導電膜と、前記一部を含んで前記非開口領域から前記開口領域に渡って延びる第１電極、及び前記第１電極上に形成された第２電極、並びに前記第１電極及び前記第２電極に挟持された誘電体膜を有しており、前記画素電極に供給される画像信号に応じて前記画素電極の電位を一時的に保持する保持容量と、前記非開口領域において前記導電膜及び前記画素電極を電気的に接続する第１コンタクト部と、前記凸部及び前記第１電極を電気的に接続する第２コンタクト部とを備える。
【００２４】
本発明の第２の発明に係る電気光学装置用基板によれば、上述した電気光学装置用基板と同様に、開口領域を規定する複数の領域端の一の領域端の一部から開口領域に突出した凸部を有する導電膜、及び保持容量を備えている。
【００２５】
第１コンタクト部は、非開口領域で導電膜及び画素電極を電気的に接続しているため、開口領域を狭めていない。
【００２６】
保持容量は、非開口領域から開口領域に渡って延びる第１電極を有しており、凸部及び第１電極は、第２コンタクト部によって電気的に接続されている。ここで、凸部は、開口領域を規定する複数の領域端の一の領域端の一部から開口領域に突出しており、第１電極も一の領域端の一部から開口領域に延びている。したがって、第１電極は、第２コンタクト部に接続される部分のみを開口領域に延ばしておけばよく、第１電極全体を開口領域に延在させることによって開口率が低下することを低減できる。加えて、本発明の第１の発明に係る電気光学装置用基板と同様に、非開口領域のうち一の領域端が延びる方向に沿って第２コンタクト部の両側に延びる領域を狭めることができるため、開口率を高めることが可能である。
【００２７】
よって、本発明の第２の発明に係る電気光学装置用基板によれば、画素電極及び導電膜、並びに保持容量の電気的な接続を確保しながら、開口率を向上させることができるため、本発明の第２の発明に係る電気光学装置用基板を備えた液晶装置等の電気光学装置の画質を高めることが可能である。
【００２８】
本発明の第２の発明に係る電気光学装置用基板の一の態様では、前記第１電極は、前記非開口領域から前記開口領域に延び、且つ前記第２電極に重ならない第１部分を有する半導体層であり、前記第２コンタクト部は、前記第１部分に電気的に接続されていてもよい。
【００２９】
この態様によれば、保持容量は、所謂ＭＩＳ（Metal-Insulator-Semiconductor）構造を有しており、例えば非開口領域に形成された薄膜トランジスタ（ＴＦＴ）のドレインに電気的に接続された第１電極を介して画素電極に画像信号が供給される。
【００３０】
本発明の第１及び第２の発明に係る電気光学装置用基板の他の態様では、前記一の領域端は、前記走査線が延びる方向に沿って延びており、前記凸部は、前記一の領域端の中央から前記開口領域に突出していてもよい。
【００３１】
この態様によれば、画素内において開口領域の平面形状が非対称な形状になることによって画質が低下することを抑制できる。
【００３２】
本発明の第１及び第２の発明に係る電気光学装置用基板の他の態様では、前記一の領域端は、前記走査線が延びる方向に沿って延びており、前記凸部は、中央を基準として前記中央より前記一の領域端の端に近い側から前記開口領域に突出していてもよい。
【００３３】
この態様によれば、凸部を一の領域端の中央より端に近い側から開口領域に突出させることにより、非開口領域に形成される配線又は素子のレイアウトに応じて一の領域端の中央から凸部を開口領域に突出させることができない場合でも、導電膜及び画素電極を電気的に接続できる。
【００３４】
本発明の第１及び第２の発明に係る電気光学装置用基板の他の態様では、前記凸部は、前記開口領域の隅から前記開口領域に突出していてもよい。
【００３５】
この態様によれば、凸部は、例えば一の領域端及び他の領域端が交わる部分から開口領域に突出しており、非開口領域における配線及び各種素子の配置に関する自由度が増す。
【００３６】
本発明の第１及び第２の発明に係る電気光学装置用基板の他の態様では、前記データ線にソースが電気的に接続され、且つ前記走査線にゲートが電気的に接続されたトランジスタを備え、前記保持容量は、前記トランジスタの直上に配置されていてもよい。
【００３７】
この態様によれば、保持容量によってトランジスタに入射する光を遮ることが可能である。尚、「直上」とは、トランジスタの真上において他の遮光膜を介在させることなく保持容量が配置されていることを意味する。この態様によれば、特にトランジスタの直上に保持容量が配置されているため、トランジスタが有する半導体層の法線方向に対して大きな角度に入射する入射光を遮ることができ、トランジスタにおける光リーク電流の発生を低減できる。
【００３８】
本発明の第１及び第２の発明に係る電気光学装置用基板の他の態様では、前記導電膜は、前記データ線と同層に形成されていてもよい。
【００３９】
この態様によれば、例えば導電材料で構成される薄膜をデータ線が設けられる層に薄膜形成法を用いて形成しておき、当該薄膜を部分的に除去することによって、データ線及び導電膜を相互に離間させた状態で形成することが可能である。この態様によれば、データ線及び導電膜を同一工程で形成できるため、製造プロセスを簡便にすることが可能である。
【００４０】
本発明に係る電気光学装置は上記課題を解決するために上述した本発明の電気光学装置用基板を備える。
【００４１】
本発明に係る電気光学装置によれば、上述した電気光学装置用基板を備えているため、表示性能に優れた電気光学装置を提供することができる。
【００４２】
本発明に係る電子機器は上記課題を解決するために、上述した本発明の電気光学装置を備えている。
【００４３】
本発明に係る電子機器によれば、上述した本発明に係る電気光学装置を具備してなるので、高品位の表示が可能な、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。また、本発明に係る電子機器として、例えば電子ペーパなどの電気泳動装置等も実現することが可能である。
【００４４】
本発明のこのような作用及び他の利得は次に説明する実施形態から明らかにされる。
【発明を実施するための最良の形態】
【００４５】
以下図面を参照しながら、本発明の第１及び第２の発明に係る電気光学装置用基板及び電気光学装置、並びに電子機器の各実施形態を説明する。
【００４６】
（第１実施形態）
＜１−１：電気光学装置の全体構成＞
先ず、図１及び図２を参照しながら本発明の第１の発明に係る電気光学装置用基板及びこれを備えた電気光学装置の各実施形態を説明する。図１は、ＴＦＴアレイ基板をその上に形成された各構成要素と共に対向基板の側から見た電気光学装置の平面図であり、図２は、図１のＨ−Ｈ’断面図である。本実施形態では、電気光学装置の一例として、駆動回路内蔵型のＴＦＴアクティブマトリクス駆動方式の液晶装置を例に挙げる。
【００４７】
図１及び図２において、液晶装置１では、ＴＦＴアレイ基板１０と対向基板２０とが対向配置されている。ＴＦＴアレイ基板１０と対向基板２０との間に液晶層５０が封入されており、ＴＦＴアレイ基板１０と対向基板２０とは、複数の画素部が設けられる画素領域たる画像表示領域１０ａの周囲に位置するシール領域に設けられたシール材５２により相互に接着されている。
【００４８】
シール材５２は、両基板を貼り合わせるための、例えば紫外線硬化樹脂、熱硬化樹脂等からなり、製造プロセスにおいてＴＦＴアレイ基板１０上に塗布された後、紫外線照射、加熱等により硬化させられたものである。シール材５２中には、ＴＦＴアレイ基板１０と対向基板２０との間隔（基板間ギャップ）を所定値とするためのグラスファイバ或いはガラスビーズ等のギャップ材が散布されている。本実施形態の液晶装置１は、プロジェクタのライトバルブ用として小型で拡大表示を行うのに適している。
【００４９】
シール材５２が配置されたシール領域の内側に並行して、画像表示領域１０ａの額縁領域を規定する遮光性の額縁遮光膜５３が、対向基板２０側に設けられている。但し、このような額縁遮光膜５３の一部又は全部は、ＴＦＴアレイ基板１０側に内蔵遮光膜として設けられてもよい。尚、画像表示領域１０ａの周辺に位置する周辺領域が存在する。言い換えれば、本実施形態においては特に、ＴＦＴアレイ基板１０の中心から見て、この額縁遮光膜５３より以遠が周辺領域として規定されている。
【００５０】
周辺領域のうち、シール材５２が配置されたシール領域の外側に位置する領域には、データ線駆動回路１０１及び外部回路接続端子１０２がＴＦＴアレイ基板１０の一辺に沿って設けられている。走査線駆動回路１０４は、この一辺に隣接する２辺に沿い、且つ、額縁遮光膜５３に覆われるようにして設けられている。更に、このように画像表示領域１０ａの両側に設けられた二つの走査線駆動回路１０４間をつなぐため、ＴＦＴアレイ基板１０の残る一辺に沿い、且つ、額縁遮光膜５３に覆われるようにして複数の配線１０５が設けられている。
【００５１】
対向基板２０の４つのコーナー部には、両基板間の上下導通端子として機能する上下導通材１０６が配置されている。他方、ＴＦＴアレイ基板１０にはこれらのコーナー部に対向する領域において上下導通端子が設けられている。これらにより、ＴＦＴアレイ基板１０と対向基板２０との間で電気的な導通をとることができる。
【００５２】
図２において、ＴＦＴアレイ基板１０上には、画素スイッチング用のＴＦＴや走査線、データ線等の配線が形成された後の画素電極９ａ上に、配向膜が形成されている。他方、対向基板２０上には、対向電極２１の他、格子状又はストライプ状の遮光膜２３、更には最上層部分に配向膜が形成されている。液晶層５０は、例えば一種又は数種類のネマティック液晶を混合した液晶からなり、これら一対の配向膜間で、所定の配向状態をとる。
【００５３】
ＴＦＴアレイ基板１０は例えば石英基板、ガラス基板、シリコン基板等の透明基板である。対向基板２０もＴＦＴアレイ基板１０と同様に透明基板である。
【００５４】
ＴＦＴアレイ基板１０には、画素電極９ａが設けられており、その上側には、ラビング処理等の所定の配向処理が施された配向膜が設けられている。例えば、画素電極９ａはＩＴＯ（Indium Tin Oxide）膜などの透明導電膜からなり、配向膜は、ポリイミド膜などの有機膜からなる。
【００５５】
対向基板２０には、その全面に渡って対向電極２１が設けられており、その下側には、ラビング処理等の所定の配向処理が施された配向膜２２が設けられている。対向電極２１は例えば、ＩＴＯ膜などの透明導電膜からなる。配向膜２２は、ポリイミド膜などの有機膜からなる。
【００５６】
対向基板２０には、格子状又はストライプ状の遮光膜を設けるようにしてもよい。このような構成を採ることで、上部容量電極３００として設けられた上側遮光膜と併せ、ＴＦＴアレイ基板１０側からの入射光のチャネル領域１ａ’ないしその周辺への侵入をより確実に阻止することができる。
【００５７】
このように構成され、画素電極９ａと対向電極２１とが対面するように配置されたＴＦＴアレイ基板１０と対向基板２０との間には、液晶層５０が形成される。液晶層５０は、画素電極９ａからの電界が印加されていない状態で配向膜により所定の配向状態をとる。
【００５８】
尚、図１及び図２に示したＴＦＴアレイ基板１０上には、これらのデータ線駆動回路１０１、走査線駆動回路１０４等の駆動回路に加えて、画像信号線上の画像信号をサンプリングしてデータ線に供給するサンプリング回路、複数のデータ線に所定電圧レベルのプリチャージ信号を画像信号に先行して各々供給するプリチャージ回路、製造途中や出荷時の当該電気光学装置の品質、欠陥等を検査するための検査回路等を形成してもよい。
【００５９】
＜１−２：画素部の電気的な接続構成＞
次に、図３を参照しながら、液晶装置１の画素部の電気的な接続構成を詳細に説明する。図３は、液晶装置１の画像表示領域を構成するマトリクス状に形成された複数の画素における各種素子、配線等の等価回路である。
【００６０】
図３において、液晶装置１の画像表示領域１０ａを構成するマトリクス状に形成された複数の画素の夫々には、画素電極９ａ、及び本発明の「トランジスタ」の一例であるＴＦＴ３０が形成されている。ＴＦＴ３０は、画素電極９ａに電気的に接続されており、液晶装置１の動作時に画素電極９ａをスイッチング制御する。画像信号が供給されるデータ線６ａは、ＴＦＴ３０のソースに電気的に接続されている。データ線６ａに書き込む画像信号Ｓ１、Ｓ２、・・・、Ｓｎは、この順に線順次に供給しても構わないし、相隣接する複数のデータ線６ａ同士に対して、グループ毎に供給するようにしてもよい。
【００６１】
ＴＦＴ３０のゲートに走査線３ａが電気的に接続されており、液晶装置１は、所定のタイミングで、走査線３ａにパルス的に走査信号Ｇ１、Ｇ２、・・・、Ｇｍを、この順に線順次で印加するように構成されている。画素電極９ａは、ＴＦＴ３０のドレインに電気的に接続されており、スイッチング素子であるＴＦＴ３０を一定期間だけそのスイッチを閉じることにより、データ線６ａから供給される画像信号Ｓ１、Ｓ２、・・・、Ｓｎが所定のタイミングで書き込まれる。画素電極９ａを介して電気光学物質の一例としての液晶に書き込まれた所定レベルの画像信号Ｓ１、Ｓ２、・・・、Ｓｎは、対向基板に形成された対向電極との間で一定期間保持される。
【００６２】
液晶層５０を構成する液晶は、印加される電圧レベルにより分子集合の配向や秩序が変化することにより、光を変調し、階調表示を可能とする。ノーマリーホワイトモードであれば、各画素の単位で印加された電圧に応じて入射光に対する透過率が減少し、ノーマリーブラックモードであれば、各画素の単位で印加された電圧に応じて入射光に対する透過率が増加され、全体として液晶装置１からは画像信号に応じたコントラストをもつ光が出射される。ここで保持された画像信号がリークすることを防ぐために、画素電極９ａと対向電極との間に形成される液晶容量と並列に、本発明の第１の発明に係る「保持容量」の一例である蓄積容量７０ａが電気的に接続されている。これにより、画素電極９ａにおける電位保持特性が向上し、コントラストやフリッカーといった表示特性の向上が可能となる。
【００６３】
＜１−３：画素部の具体的な構成＞
次に、図４乃至図６を参照しながら画素部の具体的な構成を説明する。図４は、データ線、走査線、画素電極等が形成されたＴＦＴアレイ基板の相隣接する複数の画素群の平面図である。図５は、図４のＶ−Ｖ’断面図である。図６は、図４のＶＩ−ＶＩ’断面図である。尚、図４乃至図６では、各層・各部材を図面上で認識可能な程度の大きさとするため、該各層・各部材ごとに縮尺を異ならしめてある。また、図５及び図６では、説明の便宜上画素電極９ａより上側に位置する部分の図示を省略している。図５において、ＴＦＴアレイ基板１０から画素電極９ａまでの部分が、本発明の第１の発明に係る「電気光学装置用基板」の一例である。
【００６４】
図４及び図５において、液晶装置１のＴＦＴアレイ基板１０上には、図中Ｘ方向及びＹ方向に対してマトリクス状に複数の透明な画素電極９ａが設けられており、画素電極９ａの縦横の境界に各々沿って複数のデータ線６ａ及び複数の走査線３ａが設けられている。
【００６５】
半導体層１ａのうち図４中右上がりの斜線領域で示したチャネル領域１ａ’に対向するように走査線３ａが配置されている。走査線３ａ及びデータ線６ａが互いに交差する個所の夫々には画素スイッチング用のＴＦＴ３０が設けられている。
【００６６】
データ線６ａは、その上面が平坦化された図５に示す第２層間絶縁膜４２を下地として形成されており、半導体層１ａに含まれるＴＦＴ３０の高濃度ソース領域１ｄにコンタクトホール８１ａを介して電気的に接続されている。データ線６ａ及びコンタクトホール８１ａ内部は、例えば、Ａｌ−Ｓｉ−Ｃｕ、Ａｌ−Ｃｕ等のＡｌ（アルミニウム）含有材料、又はＡｌ単体、若しくはＡｌ層とＴｉＮ層等との多層膜からなる。データ線６ａは、ＴＦＴ３０を遮光する機能も有している。
【００６７】
蓄積容量７０は、本発明の第１の発明に係る「第１電極」の一例である下部容量電極７１ｍと、本発明の第１の発明に係る「第２電極」の一例である上部容量電極３００とが誘電体膜７５ａを介して対向配置されることにより形成されている。
【００６８】
上部容量電極３００は、ＴＦＴ３０の高濃度ドレイン領域１ｅ及び画素電極９ａに電気的に接続された画素電位側容量電極である。より具体的には、上部容量電極３００は、本発明の第１の発明に係る「第２コンタクト部」の一例であるコンタクトホール８４ａを介して本発明の第１の発明に係る「導電膜」の一例である中継層９３に電気的に接続されており、中継層９３と共に高濃度ドレイン領域１ｅ及び画素電極９ａ間の電気的な接続を中継する。
【００６９】
上部容量電極３００は、例えば金属又は合金を含んでＴＦＴ３０の上側に設けられた金属膜である。上部容量電極３００は、ＴＦＴ３０を遮光する上側遮光膜（内蔵遮光膜）としても機能する。上部容量電極３００は、Ａｌ（アルミニウム）、Ａｇ（銀）等の金属を含んで形成されている。上部容量電極３００は、例えば、Ｔｉ（チタン）、Ｃｒ（クロム）、Ｗ（タングステン）、Ｔａ（タンタル）、Ｍｏ（モリブデン）、Ｐｄ（パラジウム）等の高融点金属のうちの少なくとも一つを含む、金属単体、合金、金属シリサイド、ポリシリサイド、これらを積層したもの等から構成されていてもよい。
【００７０】
下部容量電極７１ｍは、画素電極９ａが配置された画像表示領域１０ａからその周囲に延設されている。下部容量電極７１ｍは、定電位源と電気的に接続され、固定電位に維持された固定電位側容量電極である。
【００７１】
下部容量電極７１ｍも、上部容量電極３００と同様に金属膜である。したがって、蓄積容量７０ａは、金属膜−誘電体膜−金属膜の３層構造を有する、所謂ＭＩＭ（Metal−Insulator−Metal）構造として構成されている。ここで、下部容量電極７１ｍは、複数の画素に渡って延在され、これら複数の画素によって共用される。本実施形態では、下部容量電極７１ｍを金属膜として形成しておくことにより、半導体を用いて下部容量電極７１ｍを構成する場合に比べて液晶装置１の駆動時に、当該液晶装置１全体で消費される消費電力を低減でき、且つ各画素部における素子の高速動作が可能になる。
【００７２】
誘電体膜７５ａは、例えばＨＴＯ（High Temperature Oxide）膜、ＬＴＯ（Low Temperature Oxide）膜等の酸化シリコン膜、あるいは窒化シリコン膜等から構成されている。
【００７３】
ＴＦＴ３０の下側に下地絶縁膜１２を介して格子状に設けられた下側遮光膜１１ａは、ＴＦＴアレイ基板１０側から装置内に入射する戻り光からＴＦＴ３０のチャネル領域１ａ’及びその周辺を遮光する。下側遮光膜１１ａは、上部容量電極３００及び下部容量電極７１ｍと同様に、例えば、Ｔｉ、Ｃｒ、Ｗ、Ｔａ、Ｍｏ、Ｐｄ等の高融点金属のうちの少なくとも一つを含む、金属単体、合金、金属シリサイド、ポリシリサイド、これらを積層したもの等からなる。
【００７４】
下地絶縁層１２は、下側遮光膜１１ａからＴＦＴ３０を層間絶縁する機能の他、ＴＦＴアレイ基板１０の全面に形成されることにより、ＴＦＴアレイ基板１０の表面の研磨時における荒れや、洗浄後に残る汚れ等で画素スイッチング用ＴＦＴ３０の特性の劣化を防止する機能を有する。
【００７５】
画素電極９ａは、上部容量電極３００、コンタクトホール８３ａ、８４ａ及び８５ａ、並びに中継層９３を介して半導体層１ａのうち高濃度ドレイン領域１ｅに電気的に接続されている。コンタクトホール８５ａは、本発明の「第１コンタクト部」の一例であり、第３層間絶縁層４３を貫通するように形成された孔部の内壁にＩＴＯ等の画素電極９ａを構成する導電材料が成膜されることによって形成されている。
【００７６】
図５において、ＴＦＴ３０は、ゲート電極として共用される走査線３ａからの電界によりチャネルが形成される半導体層１ａのチャネル領域１ａ’と、走査線３ａ及び半導体層１ａとを絶縁する２層の絶縁膜２ａ及び２ｂを含むゲート絶縁膜２とを有している。半導体層１ａは、低濃度ソース領域１ｂ、低濃度ドレイン領域１ｃ、高濃度ソース領域１ｄ及び高濃度ドレイン領域１ｅを備えたＬＤＤ(Lightly Doped Drain）構造を有している。低濃度ソース領域１ｂ、低濃度ドレイン領域１ｃ、高濃度ソース領域１ｄ及び高濃度ドレイン領域１ｅは、半導体層１ａの不純物領域を構成しており、チャネル領域１ａ’の両側にミラー対称に形成されている。
【００７７】
蓄積容量７０ａは、第１層間絶縁膜４１を介してＴＦＴ３０の直上に配置されているため、ＴＦＴ３０が有する半導体層１ａの法線方向から半導体層１ａが延びる方向に沿って当該法線方向に対して大きな角度で半導体層１ａに入射する入射光を遮ることができ、半導体層１ａに生じる光リーク電流を低減することが可能である。したがって、ＴＦＴ３０の非動作時において低濃度ソース領域１ｂ及び低濃度ドレイン領域１ｃに流れるオフ電流が低減でき、且つＴＦＴ３０の動作時に流れるオン電流の低下を抑制できる。よって、液晶装置１は、その動作時に高品位で画像を表示できる。
【００７８】
走査線３ａ上には、高濃度ソース領域１ｄへ通じるコンタクトホール８１ａ及び高濃度ドレイン領域１ｅへ通じるコンタクトホール８３ａが各々開孔された第１層間絶縁膜４１が形成されている。第１層間絶縁膜４１上には下部容量電極７１ｍ及び上部容量電極３００が形成されており、これらの上には、コンタクトホール８１ａが開孔された第２層間絶縁膜４２が形成されている。データ線６ａの上から第２層間絶縁膜４２の全面及び中継層９３を覆うように、コンタクトホール８５ａが形成された第３層間絶縁膜４３が形成されている。画素電極９ａ及び不図示の配向膜は、第３層間絶縁膜４３の上面に設けられている。
【００７９】
中継層９３は、第２層間絶縁膜４２上においてデータ線６ａと同層に形成されている。データ線６ａ及び中継層９３は、例えば金属膜等の導電材料で構成される薄膜を第２層間絶縁膜４２上に薄膜形成法を用いて形成しておき、当該薄膜を部分的に除去、即ちパターニングすることによって相互に離間させた状態で形成される。したがって、データ線６ａ及び中継層９３を同一工程で形成できるため、液晶装置１の製造プロセスを簡便にできる。
【００８０】
図４において、走査線３ａ、データ線６ａ、蓄積容量７０ａ、下側遮光膜１１ａ、中継層９３及びＴＦＴ３０は、ＴＦＴアレイ基板１０上で平面的に見て、画素電極９ａに対応する各画素の開口領域（即ち、各画素において、表示に実際に寄与する光が透過又は反射される領域）を囲む非開口領域内に配置されている。即ち、これらの走査線３ａ、蓄積容量７０ａ、データ線９ａ、下側遮光膜１１ａ、及びＴＦＴ３０は、表示の妨げとならないように、各画素の開口領域ではなく、非開口領域内に配置されている。
【００８１】
次に、図４及び図６を参照しながら、中継層９３の配置を詳細に説明する。
【００８２】
図４において、開口領域は、画素において上部容量電極３００、下部容量電極７１ｍ及び下側遮光膜１１ａの夫々の縁を領域端とする略矩形状の平面形状を有する。例えば、一の開口領域を規定する４つの領域端の一の領域端１９０は、上部容量電極３００及び下部容量電極７１ｍの夫々がＸ方向に延びる部分の縁３００ｅ及び７１ｍｅによって規定されている。中継層９３は、非開口領域から開口領域に突出した凸部９３ａを有している。凸部９３ａは、領域端１９０の中央から開口領域に突出している。
【００８３】
ここで、凸部９３ａが開口領域に突出している分、凸部９３ａを設けない場合に比べて開口領域の面積が狭められることになる。しかしながら、本実施形態では、凸部９３ａを領域端１９０の一部（例えば領域端１９０の中央）から開口領域に突出させることによって、Ｘ方向に沿って領域端１９０のうち領域端１９０の中央を除く他の部分によって開口領域との境界が構成される非開口領域の幅を狭めることができる。より具体的には、後述するようにコンタクトホール８５ａは、凸部９３ａに電気的に接続されているため、領域端１９０において領域端１９０の中央の両側に延びる非開口領域にはコンタクトホール８５ａを形成するためのスペースを確保する必要がなく、その分、非開口領域に形成された配線等の遮光体を領域端１９０の中央の両側で狭めることが可能である。よって、凸部９３ａの両側の夫々において非開口領域の幅を狭くでき、開口領域全体の面積を大きくとることが可能である。
【００８４】
中継層９３によれば、凸部９３ａが開口領域に突出しているため、開口領域の実質的な平面形状は正確には矩形状にならない。しかしながら、中継層９３によれば、凸部９３ａを設けない場合に比べて相対的に開口率を高めることが可能であり、液晶装置１の画質を高めることが可能である。加えて、非開口領域を狭めた場合でも、第３層間絶縁膜４３を部分的に除去してコンタクトホール８５ａを形成する際に、エッチング処理等の除去工程を行うために必要となるスペースのマージンも確保できる。
【００８５】
本実施形態では、凸部９３ａが、領域端１９０の中央から開口領域に突出しているため、画素内において開口領域の平面形状が非対称な形状になることによって画質が低下することを抑制できる。
【００８６】
次に、図６を参照しながら、画素電極９ａ及び上部容量電極３００間の電気的な接続構造を詳細に説明する。
【００８７】
図６において、コンタクトホール８５ａは、画素電極９ａ及び凸部９３ａを互いに電気的に接続する接続手段の一例である。凸部９３ａは、中継層９３の一部を構成しており、非開口領域から開口領域に突出している。非開口領域において、中継層９３は、コンタクトホール８４ａを介して上部容量電極３００に電気的に接続されている。したがって、蓄積容量７０ａは、画素電極９ａと電気的に接続されている。蓄積容量７０ａは、画素電極９ａに供給された画像信号に応じて画素電極９ａの電位を一時的に維持できる。
【００８８】
ここで、中継層９３を介すことなく上部容量電極３００及び画素電極９ａを相互に電気的に接続した場合、上部容量電極３００は、開口領域をより狭めるように画素電極９ａと重なることになる。より具体的には、上部容量電極３００及び画素電極９ａを相互に電気的に接続するコンタクト部を形成するためのスペースを確保できるように、上部容量電極３００及び画素電極９ａが相互に重なる部分が大きくなる。このような重なり部分が大きくなると、上部容量電極３００の縁で規定される非開口領域の幅も大きくなり、相対的に開口領域が狭められる。そこで、本実施形態では、凸部９３ａを介して上部容量電極３００及び画素電極９ａを相互に電気的に接続することによって、すでに述べたように開口領域の減少を極力抑制でき、且つ相対的に開口領域を広げることが可能である。
【００８９】
加えて、コンタクトホール８４ａによれば、例えば開口領域に突出させた上部容量電極３００と、第２層間絶縁膜４２を貫通するように形成されたコンタクトホール８５ａとを直接する接続する場合に比べて、開口領域が狭められる割合を小さくできる。より具体的には、上部容量電極３００及び下部容量電極７１ｍが相互に重なる面積がより大きくなるように上部容量電極３００及び下部容量電極７１ｍをパターニングすることによって蓄積容量７０ａの容量を大きくし、画素電極９ａの電位を保持する保持性能を向上させるほうが好ましい反面、領域端１９０の全体に渡って上部容量電極３００を開口領域に張り出させることは、開口率を高める観点からみて好ましい設計とは言い難い。そこで、中継層９３を介して画素電極９ａ及び蓄積容量７０ａを相互に電気的に接続することによって、上部容量電極３００が開口領域に突出する部分を低減でき、開口率の低下を抑制することが可能となる。
【００９０】
以上説明したように、本実施形態に係る電気光学装置用基板によれば、画素電極９ａ及び蓄積容量７０ａ相互の電気的な接続を確保しながら、開口率を向上させることができる。したがって、本実施形態に係る液晶装置１によれば、高品位の画像を表示可能である。
【００９１】
（変形例１）
次に、図７を参照しながら画素における中継層９３の変形例を説明する。図７は、データ線、走査線、画素電極等が形成されたＴＦＴアレイ基板の相隣接する複数の画素群の平面図の変形例である。尚、以下では、上述の液晶装置１と共通する部分に同一の参照符号を付し、詳細な説明を省略する。
【００９２】
図７において、本例の液晶装置では、中継層９３は、Ｘ方向に沿って領域端１９０の中央より端に近い側から開口領域に突出する凸部９３ａａを有している。凸部９３ａａによれば、非開口領域に形成される配線及び蓄積容量７０ａ等の素子のレイアウトに応じて一の領域端の中央から中継層９３の一部を開口領域に突出させることができない場合でも、凸部９３ａａを介して中継層９３及び画素電極９ａを電気的に接続できる。
【００９３】
（変形例２）
次に、図８を参照しながら画素における中継層９３の変形例の他の例を説明する。図８は、データ線６ａ、走査線３ａ、画素電極９ａ等が形成されたＴＦＴアレイ基板１０の相隣接する複数の画素群の平面図の変形例である。
【００９４】
図８において、中継層９３から開口領域に突出する凸部９３ａｂは、略矩形状を有する開口領域の隅から開口領域に突出している。より具体的には、凸部９３ａｂは、領域端１９０及び領域端１９０に交わる他の領域端が相互に交わる部分（即ち、開口領域の隅）から開口領域に突出している。したがって、凸部９３ａｂは、上述した領域端１９０の中央或いは端に近い部分から開口領域に突出させる場合に限定されず、非開口領域における配線及び蓄積容量等の各種素子の配置に応じて配設位置を便宜変更可能である。したがって、非開口領域における配線及び蓄積容量等の各種素子の配置の関する自由度が増す。
【００９５】
（第２実施形態）
次に、図９乃至図１１を参照しながら、本発明の第２の発明に係る電気光学装置用基板及びこれを備えた電気光学装置の各実施形態を説明する。図９は、データ線６ａ、走査線３ａ、画素電極９ａ等が形成されたＴＦＴアレイ基板１０上の相隣接する複数の画素群の平面図である。図１０は、図９のＸ−Ｘ’断面図である。図１１は、図９のＸＩ−ＸＩ’断面図である。
【００９６】
尚、図９乃至図１１においても、図４乃至図６と同様に、各層・各部材を図面上で認識可能な程度の大きさとするため、該各層・各部材ごとに縮尺を異ならしめてある。また、図１０及び図１１では、説明の便宜上画素電極９ａより上側に位置する部分の図示を省略し、第１実施形態に係る液晶装置１と共通する部分に共通の参照符号を付している。図１０において、ＴＦＴアレイ基板１０から画素電極９ａまでの部分が、本発明の第２の発明に係る「電気光学装置用基板」の一例である。
【００９７】
図９及び図１０において、本実施形態の液晶装置は、本発明の第２の発明に係る「導電膜」の一例である中継層９３、本発明の第２の発明に係る「保持容量」の一例である蓄積容量７０ｂ、本発明の第２の発明に係る「第１コンタクト部」の一例であるコンタクトホール８５ｂ、及び本発明の第２の発明に係る「第２コンタクト部」の一例であるコンタクトホール８４ｂを備えている。
【００９８】
蓄積容量７０ｂは、非開口領域から開口領域に渡って延びる下部容量電極７１ｓ、上部容量電極３００、及びこれら電極に挟持された誘電体膜７５ｂを有している。上部容量電極３００は、固定電位側容量電極であり、下部容量電極７１ｓは、コンタクトホール８３ｂを介してＴＦＴ３０の高濃度ドレイン領域１ｅに電気的に接続された画素電位側容量電極である。下部容量電極７１ｓは、ポリシリコン等の半導体層で形成されている。したがって、蓄積容量７０ｂは、所謂ＭＩＳ（Metal-Insulator-Semiconductor）構造を有している。尚、下部容量電極７１ｓは、画素電位側容量電極としての機能の他、上側遮光膜としての上部容量電極３００とＴＦＴ３０との間に配置される、光吸収層或いは遮光膜としての機能も有する。データ線６ａは、第１層間絶縁膜４１、絶縁膜６１及び第２層間絶縁膜４２を貫通するコンタクトホール８１ｂを介して高濃度ソース領域１ｄに電気的に接続されている。第１層間絶縁膜４１及び第２層間絶縁膜４２間には、部分的に絶縁膜６１が介在している。
【００９９】
図９に示すように、下部容量電極７１ｓは、画素毎に互いに離間されている。したがって、データ線６ａを介して供給される画像信号がＴＦＴ３０のスイッチング動作に応じて画素毎に供給される。上部容量電極３００は、図９中Ｘ方向に沿って複数の画素に延在されている。したがって、上部容量電極３００は、複数の画素で共用されることによって電極面積が下部容量電極７１ｓより大きくなる。
【０１００】
しかしながら、上部容量電極３００は、Ａｌ等の金属膜で構成されているため、半導体で上部容量電極を形成する場合に比べて電極面積の増大による電気抵抗の増大分を抑制できる。よって、液晶装置の動作時における消費電力の低減、及び各画素における各種素子の高速駆動が可能となり、液晶装置によって画像が表示される際の応答性が低下することを抑制できる利点がある。このような利点は、本実施形態のように上部容量電極３００が図中Ｙ方向に沿って互いに隣接する画素に亘って延在するように形成されている場合に限定されず、上部容量電極３００が画像表示領域１０ａにおいてより大きな面積を占めるように複数の画素に渡って形成されている場合により顕著に現れる。
【０１０１】
コンタクトホール８５ｂは、非開口領域で中継層９３及び画素電極９ａを電気的に接続しているため、開口領域を狭めていない。
【０１０２】
開口領域を規定する複数の領域端の一つである領域端１９０は、上部容量電極３００の縁３００ｅで規定されている。凸部９３ａは、領域端１９０の一部から開口領域に突出しており下部容量電極７１ｓも領域端１９０の一部から開口領域に延びている。したがって、下部容量電極７１ｓは、コンタクトホール８４ｂに接続される部分のみを開口領域に延ばしておけばよく、下部容量電極７１ｓ全体を開口領域に延在させることによって開口率が低下することを低減できる。加えて、第１実施形態と同様に、非開口領域のうちＸ方向に沿ってコンタクトホール８４ｂの両側に延びる非開口領域を狭めることができるため、開口率を高めることが可能である。
【０１０３】
よって、本実施形態に係る液晶装置によれば、画素電極９ａ及び中継層９３、並びに蓄積容量７０ｂの電気的な接続を確保しながら、開口率を向上させることができ、液晶装置によって表示される画像の画質を高めることが可能である。
【０１０４】
次に、図１１を参照しながら画素電極９ａ及び下部容量電極７１ｓ間の電気的な接続構造を詳細に説明する。
【０１０５】
図１１において、下部容量電極７１ｓは、非開口領域から開口領域に延び、且つ上部容量電極３００に重ならない第１部分７１ｓａを有している。中継層９３は、非開口領域から開口領域に突出した凸部９３ａを有している。
【０１０６】
コンタクトホール８４ｂは、第１部分７１ｓａ及び中継層９３を相互に電気的に接続している。コンタクトホール８５ｂは、画素電極９ａ及び中継層９３を電気的に接続している。したがって、非開口領域に形成されたＴＦＴ３０のドレインに電気的に接続された下部容量電極７１ｓを介して画素電極９ａに画像信号が供給され、画像表示が行われる。
【０１０７】
以上説明したように、本実施形態に係る電気光学装置用基板を備えた液晶装置等の電気光学装置によれば、蓄積容量によって画素電極９ａの電位を一時的に保持でき、且つ開口率を高めることが可能であるため、高品位の画像を表示できる。
【０１０８】
尚、本実施形態においても、第１実施形態と同様に凸部９３ａを領域端１９０の中央、当該領域端１９０の中央を基準として端に近い側、及び開口領域の隅の何れかの領域から凸部９３ａを開口領域に突出させておけば、開口率向上が実現されることは言うまでもない。加えて、保持容量７０ｂが、ＴＦＴ３０の直上に設けられているため、特に半導体層１ａの法線方向に対して大きな角度で当該半導体層１ａに斜めに入射する光を保持容量７０ｂによって遮光できる。また、中継層９３がデータ線６ａと同層に形成されているため、液晶装置の製造プロセスが簡便なものとなる。
【０１０９】
（電子機器）
次に、図１２を参照しながら上述した液晶装置を各種の電子機器に適用する場合について説明する。本実施形態に係る電子機器は、上述の液晶装置をライトバルブとして用いたプロジェクタである。図１２は、上述した液晶装置を備えた電子機器の一例であるプロジェクタの構成例を示す平面図である。図１２に示すように、プロジェクタ１１００内部には、ハロゲンランプ等の白色光源からなるランプユニット１１０２が設けられている。このランプユニット１１０２から射出された投射光は、ライトガイド１１０４内に配置された４枚のミラー１１０６および２枚のダイクロイックミラー１１０８によってＲＧＢの３原色に分離され、各原色に対応するライトバルブとしての液晶パネル１１１０Ｒ、１１１０Ｂおよび１１１０Ｇに入射される。
【０１１０】
液晶パネル１１１０Ｒ、１１１０Ｂおよび１１１０Ｇの構成は、上述した液晶装置と同等であり、画像信号処理回路から供給されるＲ、Ｇ、Ｂの原色信号でそれぞれ駆動されるものである。これらの液晶パネルによって変調された光は、ダイクロイックプリズム１１１２に３方向から入射される。このダイクロイックプリズム１１１２においては、ＲおよびＢの光が９０度に屈折する一方、Ｇの光が直進する。したがって、各色の画像が合成される結果、投射レンズ１１１４を介して、スクリーン等にカラー画像が投写されることとなる。
【０１１１】
ここで、各液晶パネル１１１０Ｒ、１１１０Ｂおよび１１１０Ｇによる表示像について着目すると、液晶パネル１１１０Ｇによる表示像は、液晶パネル１１１０Ｒ、１１１０Ｂによる表示像に対して左右反転される。尚、液晶パネル１１１０Ｒ、１１１０Ｂおよび１１１０Ｇには、ダイクロイックミラー１１０８によって、Ｒ、Ｇ、Ｂの各原色に対応する光が入射するので、カラーフィルタを設ける必要はない。
【０１１２】
尚、本実施形態に係る電子機器によれば、上述の液晶装置を具備してなるので、高品位の表示が可能であり、且つ小型サイズを有する、投射型表示装置、携帯電話、電子手帳、ワードプロセッサ、ビューファインダ型又はモニタ直視型のビデオテープレコーダ、ワークステーション、テレビ電話、ＰＯＳ端末、タッチパネルなどの各種電子機器を実現できる。
【図面の簡単な説明】
【０１１３】
【図１】本発明の第１実施形態に係る電気光学装置をＴＦＴアレイ基板上に形成された各構成要素と共に対向基板の側から見た平面図である。
【図２】図１のＨ−Ｈ’断面図である。
【図３】本発明の第１実施形態に係る電気光学装置の複数の画素における各種素子、配線等の等価回路である。
【図４】本発明の第１実施形態に係る電気光学装置におけるデータ線、走査線、画素電極等が形成されたＴＦＴアレイ基板の相隣接する複数の画素群の平面図である。
【図５】図４のＶ−Ｖ’断面図である。
【図６】図４のＶＩ−ＶＩ’断面図である。
【図７】本発明の第１実施形態における、ＴＦＴアレイ基板の相隣接する複数の画素群の変形例（その１）を示した平面図である。
【図８】本発明の第１実施形態における、ＴＦＴアレイ基板の相隣接する複数の画素群の変形例（その２）を示した平面図である。
【図９】本発明の第２実施形態に係る電気光学装置におけるデータ線、走査線、画素電極等が形成されたＴＦＴアレイ基板の相隣接する複数の画素群の平面図である。
【図１０】図９のＸ−Ｘ’断面図である。
【図１１】図９のＸＩ−ＸＩ’断面図である。
【図１２】本実施形態に係る電気光学装置を備えた電子機器の一例を示す平面図である。
【符号の説明】
【０１１４】
１…液晶装置、１ａ…半導体層、２…ゲート絶縁膜、３ａ…走査線、６ａ…データ線、１０…ＴＦＴアレイ基板、１１ａ…下側遮光膜、７０ａ，７０ｂ…蓄積容量、７１ｍ，７１ｓ…下部容量電極、７５ａ，７５ｂ…誘電体膜、９３…中継層、３００…上部容量電極。
【図１】
2008276266.tif 000003
【図２】
2008276266.tif 000004
【図３】
2008276266.tif 000005
【図４】
2008276266.tif 000006
【図５】
2008276266.tif 000007
【図６】
2008276266.tif 000008
【図７】
2008276266.tif 000009
【図８】
2008276266.tif 000010
【図９】
2008276266.tif 000011
【図１０】
2008276266.tif 000012
【図１１】
2008276266.tif 000013
【図１２】
2008276266.tif 000014
【手続補正書】
【提出日】平成20年9月2日(2008.9.2)
【手続補正１】
【補正対象書類名】特許請求の範囲
【補正対象項目名】全文
【補正方法】変更
【補正の内容】
【特許請求の範囲】
【請求項１】
第１方向に延在するデータ線と、
前記第１方向と交差する第２方向に延在する走査線と、
前記データ線及び前記走査線の交差に対応して規定された画素に形成された画素電極と、
前記画素の開口領域の一部を規定し、前記第２方向に延在する遮光膜からなる第１容量電極と、
前記第１容量電極と誘電体膜を介して対向配置される第２容量電極と、
前記画素電極と前記第１容量電極との間に、前記画素電極と第１コンタクト部を介して電気的に接続すると共に、前記第２容量電極と第２コンタクト部を介して電気的に接続する導電膜とを備え、
前記第２容量電極及び前記導電膜は、前記第１容量電極から前記第１方向に突出した凸部を有し、
前記第１コンタクト部は、前記第１容量電極と重なる領域に設けられ、前記第２コンタクト部は、前記凸部と重なる領域に設けられていることを特徴とする電気光学装置。
【請求項２】
前記第１容量電極は、金属膜からなり、前記第２容量電極は、半導体膜からなること
を特徴とする請求項１に記載の電気光学装置用基板。
【請求項３】
前記凸部は、前記第１容量電極によって規定される前記開口領域の領域端の中央から前記開口領域側に突出していること
を特徴とする請求項１に記載の電気光学装置用基板。
【請求項４】
前記凸部は、前記第１容量電極によって規定される前記開口領域の領域端の中央を基準として前記中央より前記領域端の端に近い側から前記開口領域側に突出していること
を特徴とする請求項１に記載の電気光学装置用基板。
【請求項５】
前記凸部は、前記開口領域の隅から前記開口領域に突出していること
を特徴とする請求項１に記載の電気光学装置用基板。
【請求項６】
前記データ線にソースが電気的に接続され、且つ前記走査線にゲートが電気的に接続されたトランジスタを備え、
前記第１容量電極及び前記第２容量電極は、前記トランジスタの半導体層を覆うように配置されていること
を特徴とする請求項１から５の何れか一項に記載の電気光学装置用基板。
【請求項７】
前記導電膜は、前記データ線と同層に形成されていること
を特徴とする請求項１から６の何れか一項に記載の電気光学装置用基板。
【請求項８】
請求項１から７の何れか一項に記載の電気光学装置用基板を備えたこと
を特徴とする電気光学装置。
【請求項９】
請求項８に記載の電気光学装置を具備してなること
を特徴とする電子機器。
【手続補正２】
【補正対象書類名】明細書
【補正対象項目名】０００６
【補正方法】変更
【補正の内容】
【０００６】
本件の参考発明に係る電気光学装置用基板は上記課題を解決するために、基板と、前記基板上で互いに交差する複数のデータ線及び複数の走査線と、前記複数のデータ線及び前記複数の走査線の交差に対応して規定された複数の画素の夫々に形成された画素電極と、前記複数の画素の夫々の開口領域を互いに隔てる非開口領域に形成されており、前記開口領域を規定する複数の領域端の一の領域端の一部から前記開口領域の側に突出した凸部を有する導電膜と、前記画素電極及び前記凸部を互いに電気的に接続する第１コンタクト部とを備える。
【手続補正３】
【補正対象書類名】明細書
【補正対象項目名】０００７
【補正方法】変更
【補正の内容】
【０００７】
本件の参考発明に係る電気光学装置用基板は、例えば、電気光学物質の一例である液晶を挟持するために対向基板に対向配置されるＴＦＴアレイ基板、或いはＴＦＴアレイ基板及び当該ＴＦＴアレイ基板上に形成された構成要素からなる板状構造体である。電気光学装置の動作時には、走査線を介して走査信号が各画素部に供給され、画像信号がデータ線を介して各画素の画素電極に供給される。より具体的には、例えば画素部毎に設けられた画素スイッチング用の薄膜トランジスタ（以下、適宜「ＴＦＴ」という。）等の半導体素子のゲートは、走査線に電気的に接続されており、走査信号に応じてオンオフされる。画像信号は、ＩＴＯ等の透明電極で構成された画素電極へデータ線を介して選択的に供給される。対向基板に設けられた対向電極及び画素電極間に挟持された液晶等の電気光学物質は、画素毎にこれら電極間に生じた電界によってチルト角が制御される。チルト角の変化に応じて各画素を透過する光量が制御され、アクティブマトリクス駆動された液晶装置等の電気光学装置によって画像が表示される。
【手続補正４】
【補正対象書類名】明細書
【補正対象項目名】００１１
【補正方法】変更
【補正の内容】
【００１１】
本件の参考発明に係る電気光学装置用基板では、凸部が開口領域に突出している分、凸部を設けない場合に比べて開口領域の面積が狭められることになる。しかしながら、本発明の第１の発明に係る電気光学装置用基板では、凸部を一の領域端の一部から開口領域に突出させることによって、当該一の領域端が延びる方向に沿って一の領域端の他の部分によって開口領域との境界が構成される非開口領域の幅を狭めることができる。より具体的には、後述するように第１コンタクト部は凸部に電気的に接続されているため、一の領域端において当該一の領域端の一部の両側に延びる非開口領域には第１コンタクト部を形成するためのスペースを確保する必要がなく、その分、例えば遮光性を有する配線等の遮光体を一の領域端の一部の両側で狭めることによって凸部の両側の夫々において非開口領域の幅を狭くでき、開口領域全体の面積を大きくとることが可能である。
【手続補正５】
【補正対象書類名】明細書
【補正対象項目名】００１２
【補正方法】変更
【補正の内容】
【００１２】
したがって、本件の参考発明に係る電気光学装置用基板によれば、凸部が開口領域に突出しているため、開口領域の実質的な平面形状は正確には矩形状にならないが、凸部を設けない場合に比べて相対的に開口率を高めることが可能であり、当該電気光学装置用基板を備えた電気光学装置の画質を高めることが可能である。加えて、非開口領域を狭めた場合でも、第１コンタクト部を形成するためのエッチング処理を行うために必要となるスペースのマージンも確保できる。
【手続補正６】
【補正対象書類名】明細書
【補正対象項目名】００１５
【補正方法】変更
【補正の内容】
【００１５】
以上説明したように、本件の参考発明に係る電気光学装置用基板によれば、画素電極及び導電膜の電気的な接続を確保しながら、開口率を向上させることができるため、本発明に係る電気光学装置用基板を備えた液晶装置等の電気光学装置の画質を高めることが可能である。
【手続補正７】
【補正対象書類名】明細書
【補正対象項目名】００１６
【補正方法】変更
【補正の内容】
【００１６】
本件の参考発明に係る電気光学装置用基板の一の態様では、前記非開口領域に形成された第１電極、前記非開口領域において前記第１電極上に形成された第２電極、並びに、前記第１電極及び前記第２電極に挟持された誘電体膜を有しており、前記画素電極に供給される画像信号に応じて前記画素電極の電位を一時的に保持する保持容量と、前記非開口領域において、前記導電膜及び前記第２電極を電気的に接続する第２コンタクト部とを備えていてもよい。
【手続補正８】
【補正対象書類名】明細書
【補正対象項目名】００１９
【補正方法】変更
【補正の内容】
【００１９】
本件の参考発明に係る電気光学装置用基板の他の態様では、前記非開口領域に形成された第１電極、前記非開口領域において前記第１電極上に形成された第２電極、並びに、前記第１電極及び前記第２電極に挟持された誘電体膜を有しており、前記画素電極に供給される画像信号に応じて前記画素電極の電位を一時的に保持する保持容量と、前記非開口領域において、前記画素電極及び前記第２電極を電気的に接続する第２コンタクト部とを備えていてもよい。
【手続補正９】
【補正対象書類名】明細書
【補正対象項目名】００２１
【補正方法】変更
【補正の内容】
【００２１】
本件の参考発明に係る電気光学装置用基板の他の態様では、前記第１電極及び前記第２電極の夫々は、金属膜であってもよい。
【手続補正１０】
【補正対象書類名】明細書
【補正対象項目名】００２３
【補正方法】変更
【補正の内容】
【００２３】
本発明に係る電気光学装置用基板は上記課題を解決するために、第１方向に延在するデータ線と、前記第１方向と交差する第２方向に延在する走査線と、前記データ線及び前記走査線の交差に対応して規定された画素に形成された画素電極と、前記画素の開口領域の一部を規定し、前記第２方向に延在する遮光膜からなる第１容量電極と、前記第１容量電極と誘電体膜を介して対向配置される第２容量電極と、前記画素電極と前記第１容量電極との間に、前記画素電極と第１コンタクト部を介して電気的に接続すると共に、前記第２容量電極と第２コンタクト部を介して電気的に接続する導電膜とを備え、前記第２容量電極及び前記導電膜は、前記第１容量電極から前記第１方向に突出した凸部を有し、前記第１コンタクト部は、前記第１容量電極と重なる領域に設けられ、前記第２コンタクト部は、前記凸部と重なる領域に設けられている。
【手続補正１１】
【補正対象書類名】明細書
【補正対象項目名】００２４
【補正方法】変更
【補正の内容】
【００２４】
また、前記第１容量電極は、金属膜からなり、前記第２容量電極は、半導体膜からなる。
【手続補正１２】
【補正対象書類名】明細書
【補正対象項目名】００２７
【補正方法】変更
【補正の内容】
【００２７】
よって、本発明に係る電気光学装置用基板によれば、画素電極及び導電膜、並びに保持容量の電気的な接続を確保しながら、開口率を向上させることができるため、本発明の第２の発明に係る電気光学装置用基板を備えた液晶装置等の電気光学装置の画質を高めることが可能である。
【手続補正１３】
【補正対象書類名】明細書
【補正対象項目名】００２８
【補正方法】削除
【補正の内容】
【手続補正１４】
【補正対象書類名】明細書
【補正対象項目名】００２９
【補正方法】削除
【補正の内容】
【手続補正１５】
【補正対象書類名】明細書
【補正対象項目名】００３０
【補正方法】変更
【補正の内容】
【００３０】
本発明に係る電気光学装置用基板の他の態様では、前記凸部は、前記第１容量電極によって規定される前記開口領域の領域端の中央から前記開口領域側に突出してもよい。
【手続補正１６】
【補正対象書類名】明細書
【補正対象項目名】００３２
【補正方法】変更
【補正の内容】
【００３２】
本発明に係る電気光学装置用基板の他の態様では、前記凸部は、前記第１容量電極によって規定される前記開口領域の領域端の中央を基準として前記中央より前記領域端の端に近い側から前記開口領域側に突出してよい。
【手続補正１７】
【補正対象書類名】明細書
【補正対象項目名】００３４
【補正方法】変更
【補正の内容】
【００３４】
本発明に係る電気光学装置用基板の他の態様では、前記凸部は、前記開口領域の隅から前記開口領域に突出していてもよい。
【手続補正１８】
【補正対象書類名】明細書
【補正対象項目名】００３６
【補正方法】変更
【補正の内容】
【００３６】
本発明に係る電気光学装置用基板の他の態様では、前記データ線にソースが電気的に接続され、且つ前記走査線にゲートが電気的に接続されたトランジスタを備え、前記第１容量電極及び前記第２容量電極は、前記トランジスタの半導体層を覆うように配置されていてもよい。
【手続補正１９】
【補正対象書類名】明細書
【補正対象項目名】００３８
【補正方法】変更
【補正の内容】
【００３８】
本発明に係る電気光学装置用基板の他の態様では、前記導電膜は、前記データ線と同層に形成されていてもよい。